(57)【特許請求の範囲】
【請求項１】
振動を発生するアクチュエータと、
該アクチュエータを収納するケースと、
該ケースを腕に取付けるためのバンドより形成され、
前記ケースを前記バンドと共に振動伝達対象に押し付ける支持機構を有するアクチュエータ支持装置において、
前記バンドの前記ケースとの接続部分を前記バンドの幅よりも狭い支持機構により形成し、
前記接続部分の支持機構を、
形状記憶合金の棒状金属により構成したことを特徴とするアクチエータ支持装置。
【請求項２】
身体に着脱自在に取り付け可能な装着バンドを備えた身体装着型送受話装置において、
請求項１に記載のアクチュエータ支持装置を含んで構成されていることを特徴とする身体装着型送受話装置。 
【発明の詳細な説明】
【０００１】
【発明の属する技術分野】
本発明は、アクチュエータ支持装置及び該アクチュエータ支持装置を備えた身体装着型送受話装置に関する。
【０００２】
【従来の技術】
携帯電話、ＰＨＳ等の送受話装置は、屋外及び屋内で場所を選ばず手軽に通話できることから広く普及している。この種の送受話装置は、手で握って使用するタイプのものがほとんどであり、該送受話装置をポケット等にしまっている場合には、ユーザは着信があっても即座に応答できない等の問題があった。
このような背景の下、ポケット等から取り出す必要がなく、使いたいと思ったときに直ちに使用可能な身体装着型送受話装置（以下、装着型送受話装置と略称する）の開発が進められている。
【０００３】
図６及び図７は、装着型送受話装置２００を説明するための図であり、図８は、図７に示す装着型送受話装置２００のＢ−Ｂ’線視断面図である。
装着型送受話装置２００は、腕時計タイプの送受話装置であり、所定の幅Ｗを有するバンドＢＤによってユーザの手首に着脱可能となっている。ユーザは、通話を行う際、まず手首ＷＲに装着型送受話装置２００を装着し、次いで該装置の装着された手の指先を耳穴等に挿入する。このような状態において、ユーザが発声すると、ユーザの音声は、図示せぬマイクロホン、アンプユニット等を介して送信される。一方、装着型送受話装置２００は、アンプユニット等を介して音声信号を受信すると、該音声信号はアクチュエータコイルＡＣＫに供給される。アクチュエータコイルＡＣＫは、該音声信号に基づき振動板ＰＬを振動させ、この振動が骨伝導によって手首ＷＲから指を通じて耳に伝達される。このようにして、ユーザは音声信号を聞きとることが可能となる。
【０００４】
【発明が解決しようとする課題】
ところで、バンドＢＤと手首ＷＲとの間には、閉じた空間ＳＰが存在する（図８参照）。上述したように、アクチュエータコイルＡＣＫに音声信号が供給されると、該アクチュエータコイルＡＣＫは振動板ＰＬを振動させる。この振動板ＰＬの振動に伴ってアクチュエータケースＡＣＣも少なからず振動するが、該振動によって生じた音響等のノイズは、閉じた空間ＳＰにおいて反響し、大きな漏れ音となって周囲に拡散してしまうという問題があった。
本発明は、以上説明した事情を鑑みてなされたものであり、アクチュエータが振動することによって発生する音漏れ等を抑制することが可能なアクチュエータ支持装置及び該アクチュエータ支持装置を備えた身体装着型送受話装置を提供することを目的とする。
【０００５】
【課題を解決するための手段】
上述した問題を解決するため、請求項１に記載のアクチュエータ支持装置は、振動を発生するアクチュエータと、該アクチュエータを収納するケースと、該ケースを腕に取付けるためのバンドより形成され、前記ケースを前記バンドと共に振動伝達対象に押し付ける支持機構を有するアクチュエータ支持装置において、前記バンドの前記ケースとの接続部分を前記バンドの幅よりも狭い支持機構により形成し、前記接続部分の支持機構を、形状記憶合金の棒状金属により構成したことを特徴とする。
【０００６】
また、請求項２に記載の身体装着型送受話装置は、身体に着脱自在に取り付け可能な装着バンドを備えた身体装着型送受話装置において、請求項１に記載のアクチュエータ支持装置を含んで構成されていることを特徴とする。
【００１２】
【発明の実施の形態】
以下、本発明をさらに理解しやすくするため、実施の形態について説明する。かかる実施の形態は、本発明の一態様を示すものであり、この発明を限定するものではなく、本発明の範囲で任意に変更可能である。
【００１３】
Ａ．本実施形態
図１は、本発明に係る装着型送受話装置１００を説明するための図であり、図２は、装着型送受話装置１００のＡ−Ａ’線視断面図である。
装着型送受話装置１００は、アクチュエータ１１０と、振動板１２０と、アクチュエータ支持機構１３０と、手首バンド１４０とを具備している。なお、装着型送受話装置１００は、その他にも、ユーザの音声を入力するマイクロホン、送信器、受信器、アンプ等を備えたアンプユニット等を具備するが、本願発明の趣旨とは直接関係がないため、図示及び説明を省略する。
【００１４】
アクチュエータ１１０は、振動板１２０を振動させる機能を有しており、アクチュエータコイル１１１とアクチュエータケース１１２を具備している。
アクチュエータコイル１１１は、図示せぬアンプユニットから供給される音声信号に基づいて、振動板１２０を振動させる。
アクチュエータケース１１２は、アクチュエータコイル１１１を収容するためのケースである。
【００１５】
振動板１２０は、アクチュエータ１１０によって発生した振動を人体に伝達する役割を担っている。具体的には、振動板１２０が振動すると、該振動は骨伝導によって手首ＷＲから指に伝達される。そして、ユーザはこの指を耳穴等に挿入することで（図６参照）、音声信号を聞くことが可能となる。
アクチュエータ支持機構１３０は、手首バンド１４０の幅Ｗよりも十分に幅の狭い、例えば針金ＳＴ等から構成されている。このアクチュエータ支持機構１３０は、アクチュエータケース１１２と手首バンド１４０を接続する役割を担う一方、手首バンド１４０と共に、アクチュエータ１１０を手首ＷＲの皮膚表面に押し付ける役割を担っている。本実施形態に係る装着型送受話装置１００には、このようなアクチュエータ支持機構１３０が設けられているため、ユーザの手首ＷＲに該装置１００が装着された状態において、手首ＷＲとアクチュエータ支持機構１３０との間に閉じた空間ＳＰ（図８参照）は存在しない。
【００１６】
手首バンド１４０は、所定の幅Ｗを有しており、例えばプラスティック等により構成されている。上述したように、手首バンド１４０は、アクチュエータ支持機構１３０を介してアクチュエータ１１０に接続されている。ユーザが該手首バンド１４０を手首ＷＲに巻き付けることにより、振動板１２０は手首ＷＲの皮膚表面に押しつけられ、装着型送受話装置１００が手首ＷＲに固定される。
【００１７】
このような装着型受話装置１００がユーザの手首ＷＲに装着された状態において、図示せぬ受信機が音声信号を受信すると、該音声信号は受信機からアクチュエータコイル１１１に供給される。アクチュエータコイル１１１は、該音声信号に基づき振動板１２０を振動させ、この振動が骨伝導によって手首ＷＲから指に伝達される。前述したように、振動板１２０が振動することにより、該振動板１３０に当接しているアクチュエータケース１１２も少なからず振動する。しかしながら、本実施形態に係るアクチュエータケース１１２は、細い針金ＳＴのみからなるアクチュエータ支持機構１３０によって支持されており、アクチュエータケース１１２の周囲に閉じた空間は存在しない。このため、アクチュエータケース１１２が振動した場合であっても、該振動によって生じた音響等のノイズは、反響することなく周囲に発散する。
【００１８】
以上説明したように、本実施形態に係るアクチュエータケース１１２の周囲に閉じた空間が存在しない。このため、アクチュエータケース１１２の振動によって生じた音響等のノイズが、反響によって大きくなることを防止することができる。
【００１９】
Ｂ．実施形態の応用例
以上この発明の一実施形態について説明したが、上記実施形態はあくまでも例示であり、上記実施形態に対しては、本発明の趣旨から逸脱しない範囲で種々の応用が可能である。
＜応用例１＞
図３は、応用例１に係るアクチュエータ支持機構１３０ａを説明するための図である。なお、図３では、説明に必要な部分のみを図示ししている。
応用例１に係るアクチュエータ支持機構１３０ａは、形状記憶合金製の針金ＳＴによって構成されている。同図に示すように、この形状記憶合金製の針金ＳＴは、ユーザの手首ＷＲの形状に沿って湾曲している。このようなアクチュエータ支持機構１３０ａを装着型送受話装置１００に設けることにより、アクチュエータ１１０及び振動板１２０を最適な力で手首ＷＲに押しつけることが可能となる。
【００２０】
＜応用例２＞
上述した応用例１では、アクチュエータ支持機構１３０ａとして、形状記憶合金製の針金ＳＴを用いた場合を例に説明を行ったが、超弾性材料等を用いてアクチュエータ支持機構１３０ａを構成しても良い。このように形状記憶合金、超弾性物質等を用いてアクチュエータ支持機構１３０ａを構成することにより、装着型送受話装置１００装着時におけるアクチュエータ１１０及び振動板１２０の手首ＷＲへの押しつけ力を増すことができる。これにより、振動板１２０から手首ＷＲへの振動の伝達効率を向上させることが可能となる。
【００２１】
＜応用例３＞
図４は、応用例３に係るアクチュエータ支持機構１３０ｂを説明するための図である。
アクチュエータ支持機構１３０ｂは、応用例１または応用例２において説明した針金ＳＴと、チューブＩＳとにより構成されている。
チューブＩＳは、衝撃吸収性の高い材料（例えば、ゴム等）によって構成され、針金ＳＴが該チューブＩＳの内部を貫通している。同図に示すように、チューブＩＳは、装着型送受話装置１００が手首ＷＲに装着された状態において、アクチュエータケース１１２の背面部分に当接するように設けられている。このように、針金ＳＴとアクチュエータケース１１２との間には、チューブＩＳが介在している。従って、アクチュエータケース１１２において振動が発生しても、振動はチューブＩＳによって吸収されるため、直接針金ＳＴに振動が伝達されることはない。この結果、アクチュエータ支持機構１３０ｂ自身の振動によって発生する音響等のノイズを抑制することが可能となる。
【００２２】
＜応用例４＞
図５（ａ）、図５（ｂ）は、応用例４に係るアクチュエータ支持機構１３０ｃを説明するための図である。
上述した本実施形態及び応用例１〜３においては、アクチュエータ支持機構１３０として、細い針金ＳＴを用いた場合を例に説明を行ったが、これはアクチュエータ１１０の周囲空間を露出させるための一例にすぎず、例えば図５（ａ）に示すようにアクチュエータ１１０との接続部分をＵ字形状に加工したプレス金属ＳＴ１、図５（ｂ）に示すようにアクチュエータ１１０との接続部分を他の部分（例えば、手首ベルト１４０との接続部分）よりも細く加工したプレス金属ＳＴ２等を、アクチュエータ支持機構１３０ｃとして用いることも可能である。また、以上説明したプレス金属の代わりに、例えばプラスチックの薄板等を用いることも可能である。なお、アクチュエータ支持機構１３０と、手首ベルト１４０とを別々に設けることなく、一体成型としても良い。
【００２３】
＜応用例５＞
また、本実施形態では、装着型送受話装置１００を例に説明を行ったが、例えばアクチュエータを備えた腕時計等にも適用可能である。また、本発明は、アクチュエータを備え、かつアクチュエータの振動を伝達すべき物体が存在するあらゆる装置に適用可能である。
【００２４】
【発明の効果】
以上説明したように、本発明によれば、アクチュエータの振動によって生じた音響等のノイズが、反響によって大きくなることを防止することができる。
【図面の簡単な説明】
【図１】  本発明に係る装着型送受話装置を説明するための図である。
【図２】  同実施形態に係る装着型送受話装置のＡ−Ａ’線視断面図である。
【図３】  応用例１に係るアクチュエータ支持機構を説明するための図である。
【図４】  応用例３に係るアクチュエータ支持機構を説明するための図である。
【図５】  応用例４に係るアクチュエータ支持機構を説明するための図である。
【図６】  装着型送受話装置の従来例を説明するための図である。
【図７】  装着型送受話装置の従来例を説明するための図である。
【図８】  装着型送受話装置の従来例を説明するための図である。
【符号の説明】
１００・・・装着型送受話装置、１１０・・・アクチュエータ、１２０・・・振動板、１１１・・・アクチュエータコイル、１１２・・・アクチュエータケース、１２０・・・振動板、１３０・・・アクチュエータ支持機構、１４０・・・手首バンド。
【図１】
0003831190.tif 000002
【図２】
0003831190.tif 000003
【図３】
0003831190.tif 000004
【図４】
0003831190.tif 000005
【図５】
0003831190.tif 000006
【図６】
0003831190.tif 000007
【図７】
0003831190.tif 000008
【図８】
0003831190.tif 000009